【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
前後方向に形成され把持部として使用される筒状のハウジングを有して前方部から出力軸を下向きに突出させた電動工具に、集塵用に装着される電動工具用集塵アタッチメントであって、
前記出力軸の突出部位で前記ハウジングに装着される吸込部と、その吸込部に前端が接続される可撓性ホースと、その可撓性ホースの後端に接続される排出部と、前記ハウジングと前記排出部とに跨って配設され、前記排出部を前記ハウジングの軸周りの任意の位相で装着可能とする付け替え部材と、を含んでなることを特徴とする電動工具用集塵アタッチメント。
【請求項２】
前記吸込部を、前記出力軸を遊挿させた状態で前記ハウジングの下面に装着されるホルダリングと、そのホルダリングの側面に連設されて前記可撓性ホースが接続される筒状の前ジョイントとから形成し、前記前ジョイントを後方へ突出させた向きで前記ホルダリングを装着することで、前記可撓性ホースの前端との接続を前記ハウジングの下側で行うと共に、前記前ジョイントに、前記ハウジングに係止する係止部材を設けたことを特徴とする請求項１に記載の電動工具用集塵アタッチメント。
【請求項３】
前記付け替え部材は、前記排出部を、前記ハウジングを中心とした少なくとも左右対称位置でそれぞれ装着可能とすることを特徴とする請求項１又は２に記載の電動工具用集塵アタッチメント。
【請求項４】
前後方向に形成され把持部として使用される筒状のハウジングを有し、前方部から出力軸を下向きに突出させた電動工具であって、
請求項１乃至３の何れかに記載の電動工具用集塵アタッチメントを装着したことを特徴とする電動工具。
【請求項５】
前後方向に形成され把持部として使用される筒状のハウジングを有して前方部から出力軸を下向きに突出させた電動工具に、集塵用に装着される電動工具用集塵アタッチメントであって、
前記出力軸の突出部位で前記ハウジングに装着される吸込部と、その吸込部に前端が接続されるパイプと、そのパイプの後端に接続される排出部と、前記ハウジングと前記排出部とに跨って配設され、前記排出部を前記ハウジングを中心とした左右対称位置でそれぞれ装着可能とする付け替え部材と、を備える一方、
前記パイプを、分解及び左右の向きを変えて再接続可能な複数の分割パイプに分割して、前記分割パイプの左右の向きの選択により、前記排出部の左右位置に対応した前記ハウジングの側面側で前記吸込部と前記排出部との間を接続可能としたことを特徴とする電動工具用集塵アタッチメント。
【請求項６】
前記パイプは、少なくとも前記ハウジングの側面に沿う部分が前記側面に沿った横断面偏平状に形成されることを特徴とする請求項５に記載の電動工具用集塵アタッチメント。
【請求項７】
前記分割パイプ同士の接続を差し込み接続によって行うと共に、差し込み側の端部と被差し込み側の端部との何れか一方に突起を、他方に、両前記端部の差し込み接続状態で前記突起が嵌合する透孔若しくは凹部を形成したことを特徴とする請求項５又は６に記載の電動工具用集塵アタッチメント。
【請求項８】
前後方向に形成され把持部として使用される筒状のハウジングを有し、前方部から出力軸を下向きに突出させた電動工具であって、
請求項５乃至７の何れかに記載の電動工具用集塵アタッチメントを装着したことを特徴とする電動工具。
【請求項９】
モータと、そのモータ軸の回転を出力軸の左右への揺動に変換する変換機構とを内蔵し、前記出力軸が突出する前端部に筒部を形成した電動工具に、集塵用に装着される電動工具用集塵アタッチメントであって、
前記筒部に装着可能な装着部を有し、
前記装着部に接続される可撓性ホースを、前記電動工具の右側又は左側へ選択的に引き回し可能としたことを特徴とする電動工具用集塵アタッチメント。
【請求項１０】
モータと、そのモータ軸の回転を出力軸の左右への揺動に変換する変換機構とを内蔵し、前記出力軸が突出する前端部に筒部を形成した電動工具に、集塵用に装着される電動工具用集塵アタッチメントであって、
前記筒部に装着可能な装着部と、
前記装着部に設けられて可撓性ホースが接続されるジョイントと、
前記ジョイントに設けられて前記電動工具の排気口に係止可能な係止部と、
を有することを特徴とする電動工具用集塵アタッチメント。
【請求項１１】
モータと、そのモータ軸の回転を出力軸の左右への揺動に変換する変換機構とを内蔵し、前記出力軸が突出する前端部に筒部を形成した電動工具に、集塵用に装着される電動工具用集塵アタッチメントであって、
前記筒部に装着可能な装着部と、
前記装着部に接続される可撓性ホースを、前記電動工具におけるバッテリーパック装着部と吸気口との間に係止可能な係止部と、
を有することを特徴とする電動工具用集塵アタッチメント。
【請求項１２】
モータと、そのモータ軸の回転を出力軸の左右への揺動に変換する変換機構とを内蔵し、前記出力軸が突出する前端部に筒部を形成した電動工具に、集塵用に装着される電動工具用集塵アタッチメントであって、
前記筒部に装着可能な装着部と、
前記装着部に接続されるパイプを、前記電動工具におけるバッテリーパック装着部と吸気口との間に係止可能な係止部と、
を有することを特徴とする電動工具用集塵アタッチメント。
【請求項１３】
モータと、そのモータ軸の回転を出力軸の左右への揺動に変換する変換機構とを内蔵し、前記出力軸が突出する前端部に筒部を形成した電動工具であって、
請求項９乃至１２の何れかに記載の電動工具用集塵アタッチメントを装着したことを特徴とする電動工具。
【手続補正２】
【補正対象書類名】明細書
【補正対象項目名】０００６
【補正方法】変更
【補正の内容】
【０００６】
上記目的を達成するために、請求項１に記載の発明は、前後方向に形成され把持部として使用される筒状のハウジングを有して前方部から出力軸を下向きに突出させた電動工具に、集塵用に装着される集塵アタッチメントであって、出力軸の突出部位でハウジングに装着される吸込部と、その吸込部に前端が接続される可撓性ホースと、その可撓性ホースの後端に接続される排出部と、ハウジングと排出部とに跨って配設され、排出部をハウジングの軸周りの任意の位相で装着可能とする付け替え部材と、を含んでなることを特徴とするものである。
請求項２に記載の発明は、請求項１の構成において、吸込部を、出力軸を遊挿させた状態でハウジングの下面に装着されるホルダリングと、そのホルダリングの側面に連設されて可撓性ホースが接続される筒状の前ジョイントとから形成し、前ジョイントを後方へ突出させた向きでホルダリングを装着することで、可撓性ホースの前端との接続をハウジングの下側で行うと共に、前ジョイントに、ハウジングに係止する係止部材を設けたことを特徴とするものである。
請求項３に記載の発明は、請求項１又は２の構成において、付け替え部材は、排出部を、ハウジングを中心とした少なくとも左右対称位置でそれぞれ装着可能とすることを特徴とするものである。
上記目的を達成するために、請求項４に記載の発明は、前後方向に形成され把持部として使用される筒状のハウジングを有し、前方部から出力軸を下向きに突出させた電動工具であって、請求項１乃至３の何れかに記載の集塵アタッチメントを装着したことを特徴とするものである。
上記目的を達成するために、請求項５に記載の発明は、前後方向に形成され把持部として使用される筒状のハウジングを有して前方部から出力軸を下向きに突出させた電動工具に、集塵用に装着される集塵アタッチメントであって、出力軸の突出部位でハウジングに装着される吸込部と、その吸込部に前端が接続されるパイプと、そのパイプの後端に接続される排出部と、ハウジングと排出部とに跨って配設され、排出部をハウジングを中心とした左右対称位置でそれぞれ装着可能とする付け替え部材と、を備える一方、パイプを、分解及び左右の向きを変えて再接続可能な複数の分割パイプに分割して、分割パイプの左右の向きの選択により、排出部の左右位置に対応したハウジングの側面側で吸込部と排出部との間を接続可能としたことを特徴とするものである。
請求項６に記載の発明は、請求項５の構成において、パイプは、少なくともハウジングの側面に沿う部分が当該側面に沿った横断面偏平状に形成されることを特徴とするものである。
請求項７に記載の発明は、請求項５又は６の構成において、分割パイプ同士の接続を差し込み接続によって行うと共に、差し込み側の端部と被差し込み側の端部との何れか一方に突起を、他方に、両端部の差し込み接続状態で突起が嵌合する透孔若しくは凹部を形成したことを特徴とするものである。
上記目的を達成するために、請求項８に記載の発明は、前後方向に形成され把持部として使用される筒状のハウジングを有し、前方部から出力軸を下向きに突出させた電動工具であって、請求項５乃至７の何れかに記載の集塵アタッチメントを装着したことを特徴とするものである。
請求項９に記載の発明は、モータと、そのモータ軸の回転を出力軸の左右への揺動に変換する変換機構とを内蔵し、出力軸が突出する前端部に筒部を形成した電動工具に、集塵用に装着される電動工具用集塵アタッチメントであって、筒部に装着可能な装着部を有し、装着部に接続される可撓性ホースを、電動工具の右側又は左側へ選択的に引き回し可能としたことを特徴とするものである。
請求項１０に記載の発明は、モータと、そのモータ軸の回転を出力軸の左右への揺動に変換する変換機構とを内蔵し、出力軸が突出する前端部に筒部を形成した電動工具に、集塵用に装着される電動工具用集塵アタッチメントであって、筒部に装着可能な装着部と、装着部に設けられて可撓性ホースが接続されるジョイントと、ジョイントに設けられて電動工具の排気口に係止可能な係止部と、を有することを特徴とするものである。
請求項１１に記載の発明は、モータと、そのモータ軸の回転を出力軸の左右への揺動に変換する変換機構とを内蔵し、出力軸が突出する前端部に筒部を形成した電動工具に、集塵用に装着される電動工具用集塵アタッチメントであって、筒部に装着可能な装着部と、装着部に接続される可撓性ホースを、電動工具におけるバッテリーパック装着部と吸気口との間に係止可能な係止部と、を有することを特徴とするものである。
請求項１２に記載の発明は、モータと、そのモータ軸の回転を出力軸の左右への揺動に変換する変換機構とを内蔵し、出力軸が突出する前端部に筒部を形成した電動工具に、集塵用に装着される電動工具用集塵アタッチメントであって、筒部に装着可能な装着部と、装着部に接続されるパイプを、電動工具におけるバッテリーパック装着部と吸気口との間に係止可能な係止部と、を有することを特徴とするものである。
請求項１３に記載の発明は、モータと、そのモータ軸の回転を出力軸の左右への揺動に変換する変換機構とを内蔵し、出力軸が突出する前端部に筒部を形成した電動工具であって、請求項９乃至１２の何れかに記載の電動工具用集塵アタッチメントを装着したことを特徴とするものである。